(57)【要約】      （修正有）【課題】トイレ床面の清潔、衛生及び乾燥を簡便に保持可能で、且つ異臭を除去することができる、トイレ床面の変色と、永久性の異臭が漂うことを防止でき、さらに、デザインが簡単で、使い易く、安全である等の効果を有しているトイレ床面の清潔な芳香パッドを提供する。【解決手段】トイレ床面の清潔な芳香パッド１００は、少なくとも一つの本体１を含む。本体１は、吸水性を持つ材料で作製され、略シート状に形成され、所定の厚みを有している。【選択図】図１
2017070404.tif 000002
【特許請求の範囲】
【請求項１】
トイレ床面の清潔な芳香パッドであって、
少なくとも本体を含み、前記本体は吸水性を持つ材料で作製され、略シート状に形成され、所定の厚みを有し、便器の周囲の床面上に設けられ、前記便器は大便器又は小便器であることを特徴とするトイレ床面の清潔な芳香パッド。
【請求項２】
請求項１記載のトイレ床面の清潔な芳香パッドにおいて、
前記本体は紙類の材料で作製されることを特徴とするトイレ床面の清潔な芳香パッド。
【請求項３】
請求項１記載のトイレ床面の清潔な芳香パッドにおいて、
前記本体は、所定の輪郭外形を有し、方形、円形又は多辺形シート体であることを特徴とするトイレ床面の清潔な芳香パッド。
【請求項４】
請求項１記載のトイレ床面の清潔な芳香パッドにおいて、
前記本体は方形シート状に形成され、後側部の中央にノッチが設けられることを特徴とするトイレ床面の清潔な芳香パッド。
【請求項５】
請求項１記載のトイレ床面の清潔な芳香パッドにおいて、
前記本体の底部には滑り防止パッドが設けられることを特徴とするトイレ床面の清潔な芳香パッド。
【請求項６】
請求項１記載のトイレ床面の清潔な芳香パッドにおいて、
前記本体に添加剤が含まれ、前記添加剤は安全な範囲にある消毒液であることを特徴とするトイレ床面の清潔な芳香パッド。
【請求項７】
請求項６記載のトイレ床面の清潔な芳香パッドにおいて、
前記添加剤の成分はアルキル・ジメチル、ベンジル、塩酸クロルヘキシジンよりなる群の一つ又はそれ以上から選ばれることを特徴とするトイレ床面の清潔な芳香パッド。
【請求項８】
請求項６記載のトイレ床面の清潔な芳香パッドにおいて、
前記添加剤には香り剤が含まれることを特徴とするトイレ床面の清潔な芳香パッド。
【請求項９】
請求項１記載のトイレ床面の清潔な芳香パッドにおいて、
前記本体に添加剤が含まれ、前記添加剤は香り剤であることを特徴とするトイレ床面の清潔な芳香パッド。
【発明の詳細な説明】
【技術分野】
【０００１】
本発明はトイレ床面の清潔な芳香パッドに関し、特に、便器周囲の床面に設置されることで、トイレ床面の清潔、衛生、乾燥を簡便に保持可能で、且つ異臭を除去することができる。また、トイレ床面の変色と、永久性の異臭が漂うこととを防止できる。さらに、デザインが簡単で、使い易く、安全である等の効果などを有するトイレ床面の清潔な芳香パッドに関わるものである。
【背景技術】
【０００２】
日常生活において、トイレを清潔に維持するため、自家又は公衆場所でのトイレに大便器、小便器などの便器が設けられている。
【０００３】
然しながら、大人でも子供でも小便時に尿液を便器以外の床面にはねあがらせている場合がある。そのため、トイレの床面が濡れたり、べとべとしたりすることがある。また、直ちに清掃しないと、除去し難い水垢となることだけでなく、悪臭が漂うことがある。また、清掃したばかりであっても、あっという間に汚されるため、主婦や清掃業者などの人員を悩ませることとなる。さらに、長期間を経て、酸っぱい異臭が漂い、不衛生であるばかりか、快適な日常生活と公衆の環境を保つのも容易ではない。
【０００４】
本出願人は、このような事情に鑑みて、鋭意研究及び改良を重ねた結果、遂に本発明を完成した。
【発明の概要】
【発明が解決しようとする課題】
【０００５】
本発明は、トイレ床面の清潔、衛生及び乾燥を簡便に保持可能で、且つ異臭を除去することができる。また、トイレ床面の変色と、永久性の異臭が漂うことを防止できる。さらに、デザインが簡単で、使い易く、安全である等の効果を有しているトイレ床面の清潔な芳香パッドを提供することを目的している。
【課題を解決するための手段】
【０００６】
本発明は、上記目的を達成するために提案されたものであり、その構成は、少なくとも一つの本体を含み、前記本体は吸水性を持つ材料で作製され、略シート状に形成され、所定の厚みを有し、便器周囲の床面に舗装され、前記便器は大便器又は小便器であっても良い。
【０００７】
好ましくは、前記本体は紙類の材料で作製されてよい。これにより、コストを省くこととなる。
【０００８】
好ましくは、前記本体は所定の輪郭外形を有し、方形、円形又は多辺形シート体であってもよい。これにより、舗装環境に合った条件、美観性、位置決め簡単などの効果を達し得る。
【０００９】
好ましくは、前記本体は方形シート状に形成され、後側部の中央にノッチが設けられたものであってもよい。これにより、ユーザーに直接に便器の前側及び左右両側の床面上に簡便に設置することができる。
【００１０】
好ましくは、前記本体の底部には滑り防止パッドが設けられてよい。これにより、本体が不意に動くことを抑制することができる。
【００１１】
好ましくは、前記本体に添加剤が含まれてよい。前記添加剤は安全な範囲の消毒液である。
【００１２】
好ましくは、前記添加剤の成分は、アルキル・ジメチル、ベンジル、塩酸クロルヘキシジンよりなる群の一つ又はそれ以上から選ばれてよい。
【００１３】
好ましくは、前記添加剤には、香り剤が含まれてよい。
【発明の効果】
【００１４】
本発明は上記及びその他の目的を達成するために取られた技術手段、素子及びびその効果について、下記の好ましい実施例で、図面に併せて説明する。
【図面の簡単な説明】
【００１５】
【図１】本発明に係るトイレ床面の清潔な芳香パッドは大便器周囲の床面上に設置された使用状態を示す参考図である。
【図２】本発明に係るトイレ床面の清潔な芳香パッドの本体底部に滑り防止パッドが設けられた概略図である。
【図３】本発明に係るトイレ床面の清潔な芳香パッドは小便器周囲の床面上に設置された状態を示す参考図である。
【発明を実施するための形態】
【００１６】
図１に示すように、本発明の一実施例であるトイレ床面の清潔な芳香パッド１００は、少なくとも本体１を有する。本体１は、吸水性を持つ材料で作製され、略シート状に形成され、所定の厚みを有している。トイレ床面の清潔な芳香パッド１００が便器１０１の周囲の床面上に設けられることにより、トイレ床面の清潔、衛生及び乾燥を簡便に保持可能で、且つ異臭を除去することができる。また、トイレ床面の変色と、永久性の異臭が漂うこととを防止できる。さらに、デザインが簡単で、使い易く、安全である等の効果を有している。詳しく下記のように説明する。
【００１７】
本体１は、吸水性を持つ材料で作製することができる。本体１を便器１０１の周囲の床面上に設置することで、トイレ床面の清潔、衛生及び乾燥を簡便に保持可能で、且つ異臭を除去することができる。また、トイレ床面の変色と、永久性の異臭が漂うこととを防止できる。さらに、デザインが簡単で、使い易く、安全である等の効果を有している。このほか、本体１は例えば紙類の材料で作製されてよい。これにより、コストを省くことができる。また、本体１は使い捨て式のデザインであってもよい。これにより、必要に応じて、使用済みの本体１を新品の本体１に取り替えることができる。
【００１８】
上述した本体１は、デザインが簡単で、略シート状に形成されている。本体１は、所定の厚み及び面積を備えており、ユーザーは、利用する環境のニーズに応じて本体１の厚みと面積と任意に選択することができる。例えば、公衆トイレに用いられる本体１の厚み及び面積は、何れも自家のよりも大きくするようにして良い。また、ユーザーは、複数の本体１を重ねて使用したり、利用できない部分を折返して畳むことができる。これにより、本体１の吸収量が向上することとなる。
【００１９】
上述した本体１は、所定の輪郭外形を有して構わない。例えば、本体１を方形、円形又は多辺形シート状に形成しても構わない。これにより、設置環境に合った条件、美観性、位置決め簡単などの効果を得ることができる。ユーザーは、本体１の設置時にニーズに応じて自らノッチを形成しても構わない。これにより、便器周囲の床面に設置することができる。勿論、本体１が方形シート状に形成され、その後側部の中央に一つのノッチ１１を形成するものであっても構わない。これにより、ユーザーが本体１を直接に便器の前側及び左右の両側にある床面に簡便に設置することができる。例えば、一般的な大便器に用いられる本体１は、２４インチ×３０インチの長方形シート状に形成されたものでよく、そのノッチ１１は、１２インチ×１４インチの長方形ノッチでよい。
【００２０】
図２に示すように、本体１の底部には、滑り防止パッド２が更に設けられてよい。これにより、本体１が不意に動くことが防止できる。滑り防止パッド２は、本体１とほぼ同一の輪郭外形を有してもよい。また、滑り防止パッド２は、例えば、プラスチック、ゴムなどの吸水性を持たない材料を使用して作製しても構わない。この構成により、本発明は、様々な組み合わせで作成することが可能である。例えば、初めて利用するユーザーに向けに、本体１及び滑り防止パッド２が含まれる製品パックを用意することが考えられる。また、既に滑り防止パッドを所有しているユーザー向けに、複数の本体が含まれる製品パックを提供することが考えられる。勿論、ユーザーは、滑り防止パッドを設置せずに本体１のみを選択して設置しても構わない。
【００２１】
上述した本体１に添加剤を更に含んでも構わない。添加剤は、安全な範囲にある消毒液（殺菌剤（Ｄｉｓｉｎｆｅｃｔａｎｔ）／クリーナー（ｃｌｅａｎｅｒ））である。その成分は、アルキル・ジメチル、ベンジル、塩酸クロルヘキシジンよりなる群の１つ又は２以上から選ばれる。このほか、添加剤は、香り剤（デオドラント）であっても構わない。勿論、添加剤には消毒液と香り剤が含まれてよい。 
【００２２】
図３に示すように、本体１は、大便器のほか、小便器などの便器１０１ａにも適用することが出来る。また、小便器は前後の長さが大便器より短く設定されているので、本体１の後側部を前向きに折り畳むことで、吸收量が向上することができる。 
【００２３】
以上は本願のために挙げられた実施例で、説明のために設けられたものであるがそれに限るものではない。即ち、凡そ特許請求範囲に列記されているのは、それに基づいて様々な変更されたもの全てを含むことになる。
【符号の説明】
【００２４】
１  ・・・  本体
１１・・・  ノッチ
２  ・・・  滑り止めパッド
１００・・・  トイレ床面の清潔な芳香パッド
１０１、１０１ａ・・・便器
【図１】
2017070404.tif 000003
【図２】
2017070404.tif 000004
【図３】
2017070404.tif 000005